(57)【要約】【課題】本発明は、イヤホンの位置決め装置に関し、特にイヤホンを容易に取り外すことができる位置決め装置に関するものである。【解決手段】本発明に係るイヤホン用位置決め装置は、イヤホンの耳栓を挟持するために用いられ、且つ連接部及び２つの挟持部を備える。２つの挟持部は、連接部の両端に連結され、各挟持部は、互いに連通する凹所及びギャップが設けられた挟持端を含み、イヤホンの耳栓は、凹所の内部に収容されて係止され、耳栓に連接された線連結部は、ギャップを介して挟持部の外部へ延伸する。【選択図】図１
2016082561.tif 000002
【特許請求の範囲】
【請求項１】
イヤホンの耳栓を挟持するために用いられ、且つ連接部及び２つの挟持部を備えるイヤホン用位置決め装置であって、
２つの前記挟持部は、前記連接部の両端に連結され、各挟持部は、凹所及びギャップが設けられた挟持端を含み、前記凹所は、前記ギャップと連通し、前記耳栓は、前記凹所の内部に収容されて係止され、前記耳栓に連接された線連結部は、前記ギャップを介して前記挟持部の外部へ延伸することを特徴とするイヤホン用位置決め装置。
【請求項２】
前記連接部は、２つの弧状バンド、１つの第一伸縮部、２つの第二伸縮部及び２つの位置決め部を含み、
２つの前記弧状バンドは、１つの前記第一伸縮部の両端にそれぞれ連結され、２つの前記第二伸縮部は、それぞれ各弧状バンドの前記第一伸縮部から離れた一端に連結され、各位置決め部の一端は、それに対応する前記第二伸縮部に連結され、
２つの前記弧状バンド、１つの前記第一伸縮部、２つの前記第二伸縮部及び２つの前記位置決め部は互いに連結して、弾性を有する「Ｕ」字状の構造を構成することを特徴とする請求項１に記載のイヤホン用位置決め装置。
【請求項３】
各挟持部は、挟持端に連結された固定端をさらに備え、前記固定端は、前記位置決め部に連結されることを特徴とする請求項２に記載のイヤホン用位置決め装置。
【請求項４】
前記挟持端の内面には、斜面とするガイド面が形成され、前記ガイド面は、前記挟持端の開口に近接して設けられていることを特徴とする請求項１から３の何れか一項に記載のイヤホン用位置決め装置。
【請求項５】
２つの耳栓、２つの線連結部及びイヤホン用位置決め装置を備えるイヤホンであって、
各耳栓は、耳挿入部及び背面突出部を含み、前記背面突出部及び前記線連結部は、互いに連結され且つ前記イヤホン用位置決め装置に取り外し可能に挟持され、前記耳挿入部は、前記イヤホン用位置決め装置によりユーザの耳の内部に位置決めされ、
前記イヤホン用位置決め装置は、請求項１〜４の何れか１項に記載のイヤホン用位置決め装置であることを特徴とするイヤホン。
【発明の詳細な説明】
【技術分野】
【０００１】
本発明は、イヤホンの位置決め装置に関し、特にイヤホンを容易に取り外すことができる位置決め装置に関するものである。
【背景技術】
【０００２】
現在、電子装置に用いられているイヤホンは多種にわたる。例としては、カナル型イヤホン、耳掛け型イヤホン、ヘッドホン等が挙げられる。ユーザがイヤホンを用いて音楽を聴く場合、音波はイヤホンを介してユーザの耳に入る。ヘッドホンにおいては、ヘッドホンを頭に装着すると、ユーザの耳が完全にヘッドホンにカバーされるので、ユーザはより良いサウンド効果を得ることができる。しかし、一般的なカナル型イヤホンは、イヤホンを耳に付けた際に、イヤホンとユーザの耳との間に多少の隙間ができるため、音波の漏れによって、ユーザが感じるサウンド効果は低い。従って、イヤホンを使用する場合、如何にイヤホンのヘッドをさらに緊密にユーザの耳に密着させるかが、本業界の技術者の課題である。
【発明の概要】
【発明が解決しようとする課題】
【０００３】
本発明は、上記の問題点を考慮してなされたものであり、イヤホンが放出する音波の漏れを減らすことができるイヤホン用位置決め装置及びこの位置決め装置を用いたイヤホンを提供することを目的とする。
【課題を解決するための手段】
【０００４】
上記の課題を解決するために、本発明に係るイヤホン用位置決め装置は、イヤホンの耳栓を挟持するために用いられ、且つ連接部及び２つの挟持部を備える。２つの挟持部は、連接部の両端に連結され、各挟持部は、互いに連通する凹所及びギャップが設けられた挟持端を含み、イヤホンの耳栓は、凹所の内部に収容されて係止され、耳栓に連接された線連結部は、ギャップを介して挟持部の外部へ伸びる。
【０００５】
また、上記の課題を解決するために、本発明に係るイヤホンは、２つの耳栓、２つの線連結部及びイヤホン用位置決め装置を備え、各耳栓は、耳挿入部及び背面突出部を含み、背面突出部及び線連結部は、互いに連結され且つイヤホン用位置決め装置に取り外し可能に挟持され、耳挿入部は、イヤホン用位置決め装置によりユーザの耳の内部に位置決めされ、イヤホン用位置決め装置は、連接部及び２つの挟持部を備え、２つの挟持部は、連接部の両端に連結され、各挟持部は、互いに連通する凹所及びギャップが設けられた挟持端を含み、イヤホンの耳栓は、凹所の内部に収容されて係止され、耳栓に連接された線連結部は、ギャップを介して挟持部の外部へ延伸する。
【発明の効果】
【０００６】
従来の技術と異なり、本発明のイヤホン用位置決め装置は、連接部及び連接部の２つの末端に連結された挟持部を備える。連接部は、イヤホン用位置決め装置の全体の長さを調節するための第一伸縮部及び２つの第二伸縮部を含む。各挟持部は、イヤホンの耳栓を挟持するための凹所を備える。ユーザがイヤホン用位置決め装置を頭に装着した後、連接部は、ユーザの頭を弾性的に挟持し、イヤホンの耳栓は、ユーザの耳の内部に密着して収容される。従って、本発明のイヤホン用位置決め装置を利用したイヤホンは、ユーザに快適な装着体験及びサウンド効果を提供することができる。
【図面の簡単な説明】
【０００７】
【図１】本発明の実施形態に係るイヤホン用位置決め装置の斜視図である。
【図２】図１に示したイヤホン用位置決め装置を別の視点から見た斜視図である。
【図３】図１に示したイヤホン用位置決め装置の使用状態を示す図である。
【図４】本発明のイヤホン用位置決め装置を使用した場合のイヤホンの低音効果と本発明のイヤホン用位置決め装置を使用しない場合のイヤホンの低音効果との対比図である。
【発明を実施するための形態】
【０００８】
図１〜図３に示すように、本発明の実施形態に係るイヤホン用位置決め装置１００は、イヤホン２２０を挟んで固定するために用いられる。ユーザは、イヤホン２２０を利用して電子装置から音楽等を聴く場合、イヤホン用位置決め装置１００によって、イヤホン２２０をユーザの耳に緊密に付けることができる。これにより、ユーザは、イヤホンから好ましい低音効果を得ることができる。イヤホン用位置決め装置１００は、連接部１０と、２つの挟持部３０と、を備え、連接部１０は、ユーザの頭に載せられる（図３を参照）。２つの挟持部３０は、連接部１０の両端に設けられて、イヤホン２２０を固定するために用いられる。
【０００９】
左右２つのイヤホン２２０は、耳栓（耳挿入部２１０及び背面突出部（図示せず））と、線連結部２３０と、をそれぞれ備える。イヤホン２２０は、この２つの背面突出部を介して、２つの挟持部３０の中にそれぞれ係合して固定される。
【００１０】
連接部１０は、２つの弧状バンド１１と、第一伸縮部１３と、２つの第二伸縮部１５と、２つの位置決め部１７と、を含む。第一伸縮部１３及び２つの第二伸縮部１５は、自在に伸縮することができる。２つの弧状バンド１１は、第一伸縮部１３の両端にそれぞれ連結されている。２つの第二伸縮部１５は、それぞれ各弧状バンド１１の第一伸縮部１３から離れた一端に連結されている。各位置決め部１７の一端は、対応する第二伸縮部１５にそれぞれ連結されている。２つの弧状バンド１１、第一伸縮部１３、２つの第二伸縮部１５及び２つの位置決め部１７は互いに連結して弾性を有し、且つほぼ「Ｕ」字状を呈する構造を構成する。この「Ｕ」字状のイヤホン用位置決め装置１００は、ユーザの頭のサイズに合わせて使用することができる。
【００１１】
第一伸縮部１３は、連接部１０の長さを変更して、２つの弧状バンド１１の間の距離を増大又は減少させることに用いられる。２つの第二伸縮部１５は、各第二伸縮部１５の両端に連結された弧状バンド１１と位置決め部１７との間の距離を調節するために用いられる。
【００１２】
２つの挟持部３０は、イヤホン２２０を挟んで固定するために用いられる。各挟持部３０は、固定端３２及び挟持端３３を含む。挟持端３３は、軟性弾性材料により製造されている。本実施形態において、挟持端３３は、ほぼ円柱状を呈する。固定端３２の一端は、一体成形又は接着等の方法によって、挟持端３３の外面に連結される。固定端３２の他端は、対応する位置決め部１７の末端に連結される。各挟持端３３の一方側には、凹所３３１が設けられており、該各凹所３３１は、耳栓と当接する内面３３１１を備える。また、挟持端３３の内面３３１１の一端には、ガイド面３３３が形成されている。イヤホン２２０の耳栓の背面突出部は、凹所３３１の内部に収容されて挟持される。ガイド面３３３は、斜面であり、凹所３３１の開口端に形成さており、前記背面突出部は、このガイド面３３３を介して凹所３３１内にスライドする。挟持端３３には、凹所３３１と連通するギャップ３３４がさらに設けられている。背面突出部が凹所３３１内に係合された後、背面突出部に連接されている線連結部２３０は、ギャップ３３４を貫通して挟持部３０の外部へ延伸する。線連結部２３０から延出するデータラインのプラグは、マルチメディア装置のジャックに挿入されて使用される。
【００１３】
図３及び図４に示すように、イヤホン用位置決め装置１００を使用する場合、先ず、イヤホン２２０の各耳栓の背面突出部を、ガイド面３３３から対応する凹所３３１内にスライドさせて、前記背面突出部を内面３３１１に当止させると共に、線連結部２３０にギャップ３３４を貫通させて線連結部２３０を挟持部３０の外部へ延伸させる。次に、連接部１０をユーザの頭に載せて、第一伸縮部１３及び２つの第二伸縮部１５を調節することによって、イヤホン用位置決め装置１００のサイズをユーザの頭のサイズに適合させる。この時、イヤホン２２０の各耳栓の耳挿入部２１０は、ユーザの耳の内部に密接して収容されて、イヤホン用位置決め装置１００によりユーザの耳の内部に位置決めされる。これにより、本発明のイヤホン用位置決め装置１００は、一般のカナル型イヤホンと耳との間の隙間に起因する低音損失を減らすことができる。
【００１４】
変形例として、固定端３２の材料は、挟持端３３と同じであるか又は異なる。固定端３２に挟持端３３と同じ材料を用いた場合、固定端３２と挟持端３３とは一体成形する。また、固定端３２に挟持端３３と別の材料を用いた場合、両者を接着等の方法によって一体に連結する。
【００１５】
また、挟持部３０及び位置決め部１７は、互いに対して取り外し可能に連接されても良い。凹所３３１及びギャップ３３４の大きさ及び形状は、イヤホン２２０の耳栓の形状及びサイズによって異なる。
【符号の説明】
【００１６】
１００  イヤホン用位置決め装置
１０  連接部
１１  弧状バンド
１３  第一伸縮部
１５  第二伸縮部
１７  位置決め部
３０  挟持部
３２  固定端
３３  挟持端
２１０  耳挿入部
２２０  イヤホン
２３０  線連結部
３３１  凹所
３３１１  内面
３３３  ガイド面
３３４  ギャップ
【図１】
2016082561.tif 000003
【図２】
2016082561.tif 000004
【図３】
2016082561.tif 000005
【図４】
2016082561.tif 000006